(57)【特許請求の範囲】
【請求項１】
容器本体と、容器本体下部に連結されるとともに支持台を有し、取出口が設けられた脚部とを有する主容器と、
主容器の脚部内に取出口を介して装着され、小容器本体と、小容器本体を密閉する蓋材とを有する小容器とを備え、
小容器の蓋材に外方へ突出する突起を設け、
脚部に小容器の突起に嵌合する嵌合部を設け、容器本体の底部裏面に、小容器の蓋材に当接し、小容器を支持台との間で挟持するストッパリブを設け、このストッパリブは小容器の取出方向に延びていることを特徴とする容器組合体。
【請求項２】
脚部のうち取出口に対向する位置に、小容器を外方から押圧する押圧口を設けたことを特徴とする請求項１記載の容器組合体。
【発明の詳細な説明】
【０００１】
【発明の属する技術分野】
本発明は、容器本体と脚部とを有する主容器と、小容器とを備えた容器組合体に関する。
【０００２】
【従来の技術】
従来より、容器本体と脚部とを有する主容器と、この主容器の脚部内に装着される小容器とを備えた容器組合体が知られている。
【０００３】
容器組合体において、小容器は脚部内に装着され、また脚部外周に粘着テープを取付けることにより、脚部内に装着された小容器を保持することができる。
【０００４】
【発明が解決しようとする課題】
上述のように、容器組合体において、脚部内に小容器を装着し、脚部外周に粘着テープを取付けることにより、小容器を脚部内に保持することができる。
【０００５】
一方、使用にあたっては脚部外周から粘着テープを剥離し、脚部内に装着された小容器を外方へ取外している。
【０００６】
しかしながら、脚部外周から粘着テープを剥離する作業は煩雑であり、ワンタッチで小容器を外方へ取出すことが望まれる。
【０００７】
本発明はこのような点を考慮してなされたものであり、小容器を主容器の脚部内から容易かつ簡単に取外すことができる容器組合体を提供することを目的とする。
【０００８】
【課題を解決するための手段】
本発明は、容器本体と、容器本体下部に連結されるとともに支持台を有し、取出口が設けられた脚部とを有する主容器と、主容器の脚部内に取出口を介して装着され、小容器本体と、小容器本体を密閉する蓋材とを有する小容器とを備え、小容器の蓋材に外方へ突出する突起を設け、脚部に小容器の突起に嵌合する嵌合部を設け、容器本体の底部裏面に、小容器の蓋材に当接し、小容器を支持台との間で挟持するストッパリブを設け、このストッパリブは小容器の取出方向に延びていることを特徴とする容器組合体である。
【０００９】
本発明によれば、主容器の脚部内に取出口から小容器を挿入して、小容器の突起を脚部の嵌合部に嵌合させることにより、主容器の脚部内に小容器を確実に保持することができる。脚部内から小容器を取外す場合は、小容器を取出口から外方へ向って押出し、突起と嵌合部との嵌合を外すことにより、小容器を脚部内から容易に取外すことができる。
【００１０】
【発明の実施の形態】
以下、図面を参照して本発明の実施の形態について説明する。
【００１１】
図１乃至図５は本発明の一実施の形態を示す図であり、このうち図１（ａ）は容器組合体の側面図であり、図１（ｂ）は図１（ａ）における小容器を示す図である。また図２（ａ）は容器組合体の背面図であり、図２（ｂ）は図２（ａ）における小容器を示す図である。
【００１２】
図３乃至図５に示すように、本発明による容器組合体は主容器１０と、主容器１０に組込まれた小容器２０とを備えている。このうち主容器１０は容器本体１１と、容器本体１１下部に連結された脚部１５とを備え、また容器本体１１は、胴部１２と、胴部１２の上端に設けられたフランジ部１３と、底部１４とからなっている。
【００１３】
一方、脚部１５は円盤状の支持台１６と、容器本体１１の底部１４と支持台１６との間を連結する連結脚１７とを有し、小容器２０は連結脚１７内の空間に配置されている。
【００１４】
また円盤状の支持台１６の下面には、支持台１６を補強する補強リブ３０，３０が設けられており（図４）、さらに容器本体１１の底部１４の裏面には小容器２０を支持台１６との間で挟持するストッパリブ３２が設けられている。さらに底部１４の裏面中央には射出樹脂のゲート１４ａが形成されている（図５）。
【００１５】
また連結脚１７には、小容器２０を連結脚１７内から取出すための取出口１９が形成される。
【００１６】
次に小容器２０について述べる。小容器２０は小容器本体２０ａと、小容器本体２０ａを密封する蓋材２１とを有し、蓋材２１には外方へ突出する一対の突起２２，２２が設けられている。
【００１７】
一対の突起２２，２２は、蓋材２１のうち先端２１ａより後方に設けられ、この突起２２，２２は連結脚１７に設けられた開口（嵌合部）１８に嵌合して小容器２０を連結脚１７内に保持するようになっている。
【００１８】
また連結脚１７のうち、取出口１９に対向する位置に、小容器２０を外方から押圧する押圧口１７ａが設けられている。この押圧口１７ａから指を挿入して小容器２０を押出すことにより、突起２２，２２と嵌合部１８との嵌合が解除されて取出口１９を通して小容器２０をスムーズに連結脚１７内から取出すことができる。
【００１９】
次に主容器１０の材料について説明する。主容器１０は、図示しないインモールドラベルと射出樹脂とからなっているが、このうちインモールドラベルは、一般に、印刷基材層、ガスバリアー層、射出樹脂との接着層から成る。これら各層は、それぞれ独立して成膜し接着剤を介して貼合（ドライラミネーション）するか、または、その一部もしくは全層を溶融押出（ＥＣ、共押出）することで形成することもできる。
【００２０】
印刷基材としてのフィルムは、一般に印刷可能なものであれば特に限定されず、例えば、ポリエステルフィルム、ポリプロピレンフィルム、ナイロンフィルム等が適宜使用できる。
【００２１】
ガスバリアー層としては、例えば、（ａ）アルミ箔（７〜２５μｍ）、（ｂ）金属又は金属酸化物を蒸着等でプラスチックフィルム等に積層したもの、例えば、酸化珪素蒸着プラスチックフィルム、酸化アルミ蒸着プラスチックフィルム、アルミ蒸着プラスチックフィルム、（ｃ）その他、ポリアクリロニトリル系樹脂、ＥＶＯＨ（エチレン酢酸ビニル共重合体ケン化物）、ＰＶＤＣ（ポリ塩化ビニリデン）フィルム、ＰＶＤＣコート二軸延伸プラスチックフィルム等が挙げられ、所望の性能に応じて適宜選択され得る。
【００２２】
接着層としては、射出樹脂と接着するものであれば特に限定されないが、通常、射出樹脂と同材質のプラスチックや、ＥＶＡ（エチレン・酢酸ビニル共重合体）を含有するポリエチレン等接着性を有する樹脂、又はそれら樹脂が共押し出し加工、あるいは、コーティング加工されたプラスチックフィルム等が好適に使用できる。
【００２３】
なお、上記各層は常法に従い、ドライラミネーション法、押出ラミネーション法、押出コーティング法その他のコーティング法によって形成される。
【００２４】
また、本発明の主容器１０を形成する射出樹脂としては、熱可塑性樹脂、例えば、ポリプロピレン、ポリエチレン、ポリスチレン等が使用される。
【００２５】
このような構成からなる容器組合体において、まず主容器１０の容器本体１１内にヨーグルト等の食品が収納され、容器本体１１のフランジ部１３に容器蓋２５が装着される。
【００２６】
次に主容器１０の連結脚１７内に、内部にフルーツソース等が収納された小容器２０が取出口１９から挿入される。連結脚１７内に挿入された小容器２０は、その突起２２が連結脚１７の嵌合部１８に嵌合して連結脚１７内に保持される。
【００２７】
このように突起２２を嵌合部１８に嵌合することにより、小容器２０を連結脚１７内に固定保持することができる。
【００２８】
小容器２０を取出す場合は、連結脚１７の押圧口１７ａから指を連結脚１７内へ挿入して小容器２０を押出す。このとき、小容器２０の突起２２が嵌合部１８から外れ、取出口１９から小容器２０を取出すことができる。
【００２９】
以上のように、本実施の形態によれば、主容器１０の連結脚１７内に挿入された小容器２０を、突起２２と嵌合部１８とを嵌合させることにより連結脚１７内で容易かつ確実に保持することができる。また押圧口１７ａから指を挿入して小容器２０を押出すだけで、連結脚１７内から容易に小容器２０を取出すことができる。
【００３０】
次に図６乃至図８により本発明の他の実施の形態について説明する。
【００３１】
図６乃至図８に示す実施の形態は、突起２２を小容器２０の蓋材２１のうち、先端２１ａと反対側の部分に設けるとともに、この突起２２に対応して連結脚１７に開口（嵌合部）１８を設けたものである。
【００３２】
図６乃至図８において、他の部分は図１乃至図５に示す実施の形態と略同一である。図６乃至図８において、図１乃至図５に示す実施の形態と同一部分には同一符号を符して詳細な説明を省略する。ここで図６（ａ）は容器組合体の側面図であり、図６（ｂ）は図６（ａ）における小容器を示す図である。また図７（ａ）は容器組合体の背面図であり、図７（ｂ）における小容器を示す図である。
【００３３】
図６乃至図８に示すように小容器２０の蓋材２１に突起２２が設けられ、この突起２２には、嵌合部１８に挿着された後外方へ拡がる側片２２ａが設けられている。突起２２の側片２２ａにより、突起２２は嵌合部１８内に堅固に固定される。
【００３４】
【発明の効果】
以上のように本発明によれば、突起を嵌合部に嵌合させるだけで主容器の脚部内に簡単に小容器を装着することができる。小容器を取出す場合は、小容器を押出し突起と嵌合部との嵌合を外すことにより小容器を脚部内から容易に取外すことができる。
【図面の簡単な説明】
【図１】  本発明による容器組合体を示す図。
【図２】  脚部内に小容器を挿入する状態を示す図。
【図３】  小容器を示す図。
【図４】  脚部の支持台を示す下面図。
【図５】  容器本体の底部を示す底面図。
【図６】  容器組合体の他の実施の形態を示す図。
【図７】  脚部内に小容器を挿入する状態を示す図。
【図８】  小容器を示す図。
【符号の説明】
１０  主容器
１１  容器本体
１２  胴部
１３  フランジ部
１４  底部
１５  脚部
１６  支持台
１７  連結脚
１７ａ  押圧口
１８  嵌合部
１９  取出口
２０  小容器
２２  突起
【図１】
0004414063.tif 000002
【図２】
0004414063.tif 000003
【図３】
0004414063.tif 000004
【図４】
0004414063.tif 000005
【図５】
0004414063.tif 000006
【図６】
0004414063.tif 000007
【図７】
0004414063.tif 000008
【図８】
0004414063.tif 000009